(57)【要約】      （修正有）【課題】１種類の紫外線ランプで構成しても充分な除菌脱臭効果が期待できるとともに、装置の小型化を図れ、用途の拡大も図れる空気除菌脱臭器を提供する。【解決手段】紫外線ランプ２１の点灯により空気の除菌と脱臭を行う空気除菌脱臭器１１において、筐体３２の前面に、前面側を開口した状態で湾状に凹む収容室３１が形成され、収容室３１に紫外線ランプ２１を収納する。紫外線ランプ２１には、オゾン化波長と強殺菌波長の紫外線を主に出す紫外線ランプを用いる。紫外線ランプ２１の前面側に、紫外線ランプ２１の光が外部に直接照射されるのを防ぐ遮光板３３が設けられる。【選択図】図２
0003155046.tif 000002
【実用新案登録請求の範囲】
【請求項１】
紫外線ランプの点灯により空気の除菌と脱臭を行う空気除菌脱臭器であって、
前記紫外線ランプとしてオゾン化波長と強殺菌波長の紫外線を主に出す紫外線ランプを用いるとともに、
該紫外線ランプを収容する収容室が、外部と空気流通可能な状態で筐体に形成され、
前記収容室に収容された前記紫外線ランプの前面側に、該紫外線ランプの光が外部に直接照射されるのを防ぐ遮光板が設けられた
空気除菌脱臭器。
【請求項２】
前記遮光板が、横断面コ字状に形成された
請求項１に記載の空気除菌脱臭器。
【請求項３】
前記収容室が、前記筐体の前面と設置時に上となる上面において外部と連通するものである
請求項１または請求項２に記載の空気除菌脱臭器。
【請求項４】
前記筐体の前面に、１枚の遮光板を挟んで左右に２本の前面連通路が形成されるとともに、
これら前面連通路が前記紫外線ランプの長手方向と平行に形成された
請求項１から請求項３のうちのいずれか一項に記載の空気除菌脱臭器。
【請求項５】
前記筐体における設置時に上となる上面に、前記２本の前面連通路と連続する上面連通路が形成された
請求項４に記載の空気除菌脱臭器。
【請求項６】
前記遮光板の前面側に、通気性を有するカバー部が形成された
請求項１から請求項５のうちいずれか一項に記載の空気除菌脱臭器。
【請求項７】
前記筐体の底面に着脱自在の支持台部材が備えられた
請求項１から請求項６のうちのいずれか一項に記載の空気除菌脱臭器。
【請求項８】
マイナスイオンを発生させるイオナイザを備えた
請求項１から請求項７のうちのいずれか一項に記載の空気除菌脱臭器。
【考案の詳細な説明】
【技術分野】
【０００１】
この考案は、例えば一般家庭やホテル、店舗、集会所、車室内等の各種室内の空気を除菌脱臭するような、空気除菌脱臭器に関する。
【背景技術】
【０００２】
前記のような装置として、紫外線ランプを用いるものがある。すなわち、紫外線を照射することにより、紫外線の殺菌線としての作用により、空気中の細菌のＤＮＡやウィルスのＲＮＡを破壊し死滅させ、殺菌・除菌をする。また紫外線のうち、特定の波長のものは、空気中の酸素からオゾンを生成する。この生成されたオゾンの強い酸化力により有機物、無機物を酸化し、殺菌・除菌を行うとともに、悪臭成分を酸化分解し、異臭を取り除く。
【０００３】
前者の殺菌・除菌作用は、主として約２５４ｎｍの波長の紫外線が行い、後者のオゾン生成作用は主として約１８５ｎｍの波長の紫外線が行う。なお、前者の約２５４ｎｍの波長の紫外線はオゾンを分解する作用も有する。
【０００４】
これら２種類の波長を有効に利用した空気浄化装置がある（特許文献１参照）。この装置は、空気を通す通気路を設け、この通気路内の上流側に約１８５ｎｍの波長の紫外線を出す紫外線ランプ（オゾン発生ランプ）を設け、その下流側に約２４５ｎｍの波長の紫外線を出す紫外線ランプ（オゾン消滅ランプ）を設けたもので、オゾンによる殺菌消臭を流れる空気に対して施した後、濃いと人体に有害であるというオゾンを、排出する空気から取り除こうとする装置である。
【０００５】
しかし、このように２種類の紫外線ランプを使用するのではコストがかかる上に、紫外線ランプを収納するスペースも大きいものが必要である。また、空気が所定の順に流れるように通気路を形成し、この通気路内に空気を流すための手段が必要となる。このため、装置は大型化し、コンパクトで簡素な構成の装置を得ることはできない。
【０００６】
このため紫外線ランプとして、上記２種類の波長の紫外線を主に出す冷陰極型低圧水銀ランプを用いて１種類の紫外線ランプで構成することが考えられるが、上記冷陰極型低圧水銀ランプは、オゾンを分解する約２４５ｎｍの波長の紫外線を、オゾンを生成する約１８５ｎｍの波長の紫外線よりもおよそ３倍も強く放射するので、生成されたオゾンは分解されてしまいやすく、低濃度のオゾンしか合成できない。このため、高い除菌脱臭効果を望みにくい。
【先行技術文献】
【特許文献】
【０００７】
【特許文献１】特許第２８１９３９５号公報
【考案の概要】
【考案が解決しようとする課題】
【０００８】
そこでこの発明は、１種類の紫外線ランプで構成しても充分な除菌脱臭効果が期待できるとともに、装置の小型化を図れ、用途の拡大を図ることもできるようにすることを主たる課題とする。
【課題を解決するための手段】
【０００９】
そのための手段は、紫外線ランプの点灯により空気の除菌と脱臭を行う空気除菌脱臭器であって、前記紫外線ランプとしてオゾン化波長と強殺菌波長の紫外線を主に出す紫外線ランプを用いるとともに、該紫外線ランプを収容する収容室が、外部と空気流通可能な状態で筐体に形成され、前記収容室に収容された前記紫外線ランプの前面側に、該紫外線ランプの光が外部に直接照射されるのを防ぐ遮光板が設けられた空気除菌脱臭器である。
【００１０】
上記オゾン化波長とは、オゾン化効率の良い、およそ１７０ｎｍから２２０ｎｍの波長であって、特に１８４．９ｎｍ、１８５ｎｍの波長をいう。また強殺菌波長とは、強殺菌効果を示す、およそ２２０ｎｍから２８０ｎｍの波長を指し、特に２５３．７ｎｍ、２５４ｎｍの波長を指す。
【００１１】
すなわち、外部と連通する収容室内の空気は、紫外線ランプの点灯により紫外線の照射を受ける。そして、紫外線のうちのオゾン化波長の紫外線によって気体中の酸素からオゾンが合成される。合成されたオゾンは空気よりも重いので、速やかに、収容室から外部に排出される。同時に、紫外線のうち強殺菌波長の紫外線は、空気中の細菌を死滅させる。このとき強殺菌波長の紫外線によってオゾンの分解もなされるが、上述のようにオゾンは速やかに収容室の外に出るので、分解は免れる。
【００１２】
紫外線ランプが点灯しているあいだ中、遮光板は、紫外線が直接外部に照射されるのを防止する。
【００１３】
収容室から外に出たオゾンは、徐々に分解されて酸素になるが、このときにその強い酸化力で、有機物、無機物を酸化して、殺菌・除菌を行うとともに、脱臭を行う。このとき、紫外線ランプの前面側に設けられた遮光板が紫外線の透過を阻止するので、収容室から外に出たオゾンのうち遮光板で遮光された部分のオゾンは、紫外線のうちの強殺菌波長の紫外線を受けて分解されることはなく、確実に除菌脱臭作用を行う。
【００１４】
収容室と外部との間において、紫外線ランプの点灯により空気が温められて上昇気流が発生し、また、室内の空調によって空気が流動し、適宜の循環によって空気は徐々に除菌脱臭作用を受ける。
【００１５】
前記遮光板が、横断面コ字状に形成された空気除菌脱臭器であってもよい。この場合には、コ字状をなす両側部分が、横方向への紫外線の漏れを阻止する。
【００１６】
前記収容室が、前記筐体の前面と設置時に上となる上面において外部と連通する空気除菌脱臭器であってもよい。紫外線ランプの点灯により空気が温められて上昇気流が発生して、自然の循環が生まれ易い。
【００１７】
前記筐体の前面に、１枚の遮光板を挟んで左右に２本の前面連通路が形成されるとともに、これら前面連通路が前記紫外線ランプの長手方向と平行に形成された空気除菌脱臭器であってもよい。紫外線ランプによって発生するオゾンと、収容室に入る空気とが、接触しやすい。
【００１８】
前記筐体における設置時に上となる上面に、前記２本の前面連通路と連続する上面連通路が形成された空気除菌脱臭器であってもよい。前記のようにオゾンと接触し易い空気が外部に排出されやすく、自然の循環が生まれる。
【００１９】
前記遮光板の前面側に、通気性を有するカバー部が形成された空気除菌脱臭器であってもよい。カバー部が、空気の流通を阻害することなく遮光板を保護する。
【００２０】
前記筐体の底面に着脱自在の支持台部材が備えられた空気除菌脱臭器であってもよい。たとえば筐体の背面を壁面に取り付けて設置する場合に、支持台部材を外し、平面部分に置いて設置する場合に、支持台部材を取り付ける。
【００２１】
マイナスイオンを発生させるイオナイザを備えた空気除菌脱臭器であってもよい。前記オゾン化波長の紫外線は、マイナスイオンを生成する作用を有するので、マイナスイオンの作用を享受することもできるが、マイナスイオンを発生させるイオナイザを備えると、より積極的にマイナスイオンを発生させることができる。
【考案の効果】
【００２２】
この考案によれば、前述のように確実に除菌脱臭作用を行うので、１種類の紫外線ランプで構成しても充分な除菌脱臭効果が期待できるとともに、装置の小型化を図れる。この結果、用途の拡大を図ることもできる。
【００２３】
前記遮光板が、横断面コ字状に形成され場合には、横方向への紫外線の漏れを阻止できる結果、筐体や収容室のデザインを多様化することができ、自由な設計が可能となる。
【００２４】
前記収容室が、前記筐体の前面と設置時に上となる上面において外部と連通するように構成した場合には、前述のように自然の循環が生まれ易いので、空調のない室内等のであっても十分な効果が期待できる。
【００２５】
前記筐体の前面に、１枚の遮光板を挟んで左右に２本の前面連通路が形成されるとともに、これら前面連通路が前記紫外線ランプの長手方向と平行に形成された場合には、前述のようにオゾンと空気の接触がしやすい状態であるので、十分な効果が期待できる。
【００２６】
前記筐体における設置時に上となる上面に、前記２本の前面連通路と連続する上面連通路が形成された場合には、前述のようにオゾンと接触し、温まった空気が外部に排出されやすい。つまり、除菌脱臭された空気の排出が良好になされ、この結果、収容室に対する外部からの空気の流入も促進され、高い効果を得られる。
【００２７】
前記遮光板の前面側に、通気性を有するカバー部が形成された場合には、前述のように遮光板が保護されるので、たとえば足元に設置して使用する場合でも、破損のおそれを低減することができる。
【００２８】
前記筐体の底面に着脱自在の支持台部材が備えられた場合には、前述のように設置状態に応じて支持台部材を適宜着脱することによって、設置状態にかかわらず良好な外観を得られ、平面部分に置いての設置に際しては安定した設置を実現できる。
【００２９】
マイナスイオンを発生させるイオナイザを備えると、前述のように積極的にマイナスイオンを発生させることができるので、浄化した空気を更に人体に有益なものとすることができる。浄化しながら有益化するので効果は高い。
【図面の簡単な説明】
【００３０】
【図１】空気除菌脱臭器の使用状態の斜視図。
【図２】空気除菌脱臭器の正面図。
【図３】空気除菌脱臭器の平面図。
【図４】空気除菌脱臭器の背面図。
【図５】収容室部分の横断面図。
【図６】空気除菌脱臭器の側面図。
【図７】作用状態を示す説明図。
【図８】車載用の空気除菌脱臭器の斜視図。
【図９】車載用の空気除菌脱臭器の正面図。
【図１０】車載用の空気除菌脱臭器の要部断面図。
【図１１】車載用の空気除菌脱臭器の作用状態の説明図。
【考案を実施するための形態】
【００３１】
この考案を実施するための一形態を、以下図面を用いて説明する。  
図１は、空気除菌脱臭器１１の使用状態の斜視図であり、この空気除菌脱臭器１１は、縦長ほぼ直方体箱状に形成されており、壁面Ａに取り付けて使用できるものである。この空気除菌脱臭器１１は、内蔵した紫外線ランプ２１（図２参照）の点灯により、空気の除菌と脱臭を行う。
【００３２】
図２がその正面図、図３が平面図、図４が背面図である。これらの図に示すように、空気除菌脱臭器１１は、紫外線ランプ２１を収容する収容室３１を筐体３２に有し、この収容室３１の前面側、すなわち紫外線ランプ２１の前面側に、紫外線ランプ２１の光が外部に直接照射されるのを防ぐ遮光板３３を備えている。
【００３３】
前記筐体３２は、図２に示したように正面視縦なが長方形で、平面視は図３に示したように横ながの偏平六角形状に形成されている。そして、高さ（上下）方向の中間位置より上側に、前記収容室３１を有する。すなわち、筐体３２の前面における上側半分に開口部３４が形成され、この開口部３４の奥に湾状に凹む前記収容室３１が形成される。
【００３４】
収容室３１は、図５に示したように、筐体３２内に金属製の背面板３５を内蔵することによって、背面板３５の前側に形成される。収容室３１の底部には、中底板３６が設けられ、それより下側の機器収納部３７との間が遮断される。
【００３５】
前記背面板３５は、幅（左右）方向の中間の平坦部３５ａの両側に、前方外側に開くように広がる傾斜面部３５ｂが鈍角で連設された形状である。この傾斜面部３５ｂの両端縁と前記筐体３２の開口部３４との間には、正面視Ｕ字状をなす縁部材３８が取り付けられ、背面板３５と筐体３２の連結と装飾を行っている。
【００３６】
このように筐体３２内に、湾状に凹む形状に形成された前記収容室３１に対して、図２、図５に示したように２本の前記紫外線ランプ２１を、縦長にして平行に並べて収容する。
【００３７】
紫外線ランプ２１には、所定波長の紫外線を照射する冷陰極型低圧水銀ランプを用いる。所定の波長とは、酸素からオゾンを生成するオゾン化効率の良い１８５ｎｍの波長と、殺菌効率の高い２５４ｎｍの波長をいい、これら２種類の紫外線を主に出すものを用いる。このような紫外線ランプ２１は長寿命で消費電力が少ない。また、管長を７０ｍｍから３５ｍｍなどと、超小型に形成できる。
【００３８】
この紫外線ランプ２１の前面側に備えられる前記遮光板３３は、金属製で、前記中底板３６に立てて固定される。そして、遮光板３３は横断面コ字型に形成される。すなわち、２本の紫外線ランプ２１を覆う幅に形成された、幅（左右）方向中間の平坦部３３ａの両側に、収容室３１の内側に向けて延びる耳部３３ｂが形成されている。
【００３９】
なお、遮光板３３の幅は、前記開口部３４の幅よりも狭く設定されている。このことにより、筐体３２の前面には、１枚の遮光板３３を挟んで左右に、収容室３１を外部と連通する２本の前面連通路４１が形成されることになる。この前面連通路４１は、紫外線ランプ２１の長手方向と平行に延びる長い形状である。
【００４０】
そして、これら前面連通路４１と連続する上面連通路４２が、図３に示したように、筐体３２の設置時に上となる上面に形成される。上面連通路４２は、前面通路４１の上端位置から奥に向けて少し入る縦直線部４２ａと、この縦直線部４２ａから内側に向けて傾斜する傾斜部４２ｂと、左右の傾斜部４２ｂ同士を結ぶ横直線部４２ｃとを有する形状である。
【００４１】
このような形状の上面連通路４２を形成するため、収容室３１の天井面に備える紫外線ランプを隠蔽する略横長長方形状の隠蔽板３９は、前記背面板３５の平坦部３５ａの幅方向中間位置から短冊状をなす１本のアーム部３９ａによって固定されて、前記上面連通路４２を確保する。
【００４２】
前記収容室３１の上面、すなわち筐体３２の上面には、前記隠蔽板３９を覆い、前記上面連通路４２を確保するカバー部材４０が取り付けられる（図２、図３、図４参照）。
【００４３】
また、前記遮光板３３の前記平坦部の下部に、マイナスイオンを発生させるイオナイザ（図示せず）のマイナスイオンの放出口５１が形成されている。
【００４４】
前記イオナイザや、前記紫外線ランプ２１を点灯させるためのインバータ等の必要な機器は、筐体３２内の下側部分の前記機器収納部３７に収納される。図２中、５２は運転のモードを切り替える切り替えスイッチである。
【００４５】
前記筐体３２の背面には、図４に示したように、壁面Ａに固定される壁面固定金具６１が固定されている。この壁面固定金具６１は、側面視コ字型をなし（図６参照）、上下両端に固定片６１ａを有し、中間部に短冊状の垂直片６１ｂを有する。この垂直片６１ｂには、略雪だるま型の係止孔６１ｃが上下に２個配設され、壁面Ａに設けられた適宜の突起（図示せず）に係止できるように構成されている。
【００４６】
また、筐体３２の背面における下部には、給電のためのアダプタ６２を接続する接続部５３を有する。
【００４７】
さらに、筐体３２の底面には、幅方向に２個のねじ孔（図示せず）を形成して、図６に示したような、支持台部材６３を着脱自在に備える。すなわち、支持台部材６３は、図６に示したような雄ねじ部材６４の着脱によって、支持台部材６３の着脱を選択できる。
【００４８】
支持台部材６３は、図３の仮想線に示したように平面視略長方形をなすが、前記雄ねじ部材６４を内部に収容できるように、前後方向の両側を下方に湾曲して、内側に適宜高さの空間を形成する。支持台部材６３は、図３の仮想線、図６に示したように、前後方向の厚さを薄く設定した筐体３２よりも前後方向の寸法を長く取り、設置時の安定性を確保している。
【００４９】
このように構成した空気除菌脱臭器１１では、アダプタ６２を接続して、筐体３２背面の壁面固定金具６１を利用して、図１に示したように、壁面Ａに沿わせて取り付ける。取り付けはなるべく高所に行う。オゾンが空気よりも重いからである。
【００５０】
空気除菌脱臭器１１に電力を供給すると、紫外線ランプ２１が点灯しイオナイザが駆動する。紫外線ランプ２１による紫外線の照射により、収容室３１内の空気は、除菌脱臭されるとともに、オゾン化される。すなわち、波長２５４ｎｍの紫外線が殺菌・除菌を行うとともに、波長１８５ｎｍの紫外線がオゾンを生成する。図７中、△はオゾンを示し、○は酸素を示す。
【００５１】
このため収容室３１内の空気は浄化されるとともに、この空気は、紫外線ランプ２１の点灯によって暖められて上昇し、上面連通路４２から外部に排出される。また、生成されたオゾンは空気よりも重いので、前面連通路４１を通って外部に速やかに流出する。
【００５２】
そして、遮光板３３の外側では、オゾンが空気中の細菌を死滅させ、悪臭成分を分解して除菌脱臭を行う。このとき、遮光板３３の外に移動したオゾンは、遮光板３３に遮られるので、徐々に分解される以外に分解はされず、強い酸化力を維持する。このため、オゾン濃度を必要な程度に高めることができ、オゾンによる高い除菌脱臭効果が得られる。
【００５３】
収容室３１内の浄化された空気は、主に上面連通路４２を通って流出して、外部の空気に除菌脱臭作用を施す。
【００５４】
また、イオナイザの駆動により、遮光板３３の下部の放出口５１からマイナスイオンが放出される。紫外線ランプ２１とともに稼動するので浄化された空気に混じってマイナスイオンが放出され、マイナスイオンによる効果をよりよく享受することができ、心のリラックス等にきわめて有効となる。
【００５５】
上述のように、紫外線による殺菌・除菌と紫外線によって生成したオゾンによる除菌脱臭を同時に行うので、効果は高い。しかもその作用は、まず、遮光板３３で遮られた収容室３１内という限られたスペースでなされるので、効率が極めてよい。そして収容室３１内で生成されたオゾンは、外部に流出しても紫外線ランプ２１からの紫外線（波長２５４ｎｍの紫外線）によって分解されずに、除菌脱臭効力を維持できる。
【００５６】
１本の紫外線ランプ２１によって高いオゾン濃度を得ることができるので、２種類の波長の紫外線を出す１本の紫外線ランプ２１を単に用いた場合よりも処理能力が高い空気除菌脱臭器１１を得ることができる。
【００５７】
しかも高機能でありながらも、器内には通気のための通路を形成しない上に、送風のためのファンも必要でなく、紫外線ランプ２１も小型であるので、装置全体を小さくコンパクトな形状で、簡素な構造に形成できる。
【００５８】
また、収容室３１と外部を連通する２種類の連通路４１，４２は、遮光板３３を除けば全体が開放されるような構造であり、除菌脱臭のための処理をする中心部分は基本的に開放的な構造である。このため、流入した空気に対してすぐさま浄化作用を行え、空気の流入も円滑で、処理効率がよい。また、紫外線ランプ２１の光は遮光板３３によって遮断されて、外部への直接の照射がないので、空気除菌脱臭器１１を肉眼で見ても安全である。その上、前面連通路４１と上面連通路４２らかは、紫外線ランプ２１の明かりが間接的にみえるので、インテリア、イルミネーションとしての効果も得られる。
【００５９】
さらに空気除菌脱臭器１１の取り付けには、工事の必要もなく、単に壁面Ａに固定するだけであるのできわめて簡単で、必要な箇所に適宜取り付けて使用でき、便利である。
【００６０】
また、必要によっては、図６に示したように、筐体３２の底面に支持台部材６３を取り付ければ、たとえばロッカーや箪笥の上など、平面部分に置いて使用することもでき、自由な使用が可能である。
【００６１】
加えて、給電のために、例えば図８に示したように自動車のシガーライタ７１に差し込めるカープラグ７２を用いれば、さらに使用範囲が広がる。
【００６２】
この場合には、車室内の空間の大きさ、設置箇所を考慮して、図８、図９、図１０に示したように小さく構成する。
【００６３】
この空気除菌脱臭器１１は、筐体３２が直方体棒状に形成され、この筐体３２の長手方向の一端側に収容室３１が形成され、収容室３１には、先の例よりも短い紫外線ランプ２１を１本収容し、筐体３２の長手方向と直交する方向の両側に前面連通路４１を有するように遮光板３３が設けられる。そして、筐体３２には、筐体３２の長手方向と直交する方向に延びる複数本の隙間３２ｂを有して通気性を有するカバー部３２ａが形成される。前記隙間３２ｂは、筐体３２の前面のほかに、その両側にも延びるように形成されている。
【００６４】
筐体３２の背面には、短冊状の取り付け板６５が設けられ、この取り付け板６５の裏面に面ファスナの一方６６が貼り付けられている。面ファスナの一方６６は、車室内に敷設されるカーマット６７に係止可能なものである。
【００６５】
なお、この車載用の空気除菌脱臭器１１の説明において、先の構成と同一又は同等の部位については同一の符号を付して、その詳しい説明を省略した。
【００６６】
このように構成された空気除菌脱臭器１１は、たとえば助手席足元のエアコンの吸い込み口附近に係止して使用される。吸い込まれる空気は、図１１に白抜き矢印で示したように移動するので、この移動に伴って、空気は空気除菌脱臭器１１の収容室３１内を通過し、このときに、前述例と同様の作用効果を得られる。特に、筐体３２にはカバー部３２ａが形成され、カバー部材３２ａが遮光板３３を覆っているので、所望の作用効果は達成しながらも、遮光板３３の損傷などを防ぐことができる。このため、足元に置いて使用する場合でも安心して使用できる。
【００６７】
以上はこの考案を実施するための一形態であって、その他の形態を採用することもできる。
【００６８】
例えば紫外線ランプ２１には、冷陰極型低圧水銀ランプの他のランプを使用するもよい。
【００６９】
また、イオナイザを省略してもよく、前記面ファスナの一方に代えて粘着層などを用いることもできる。
【符号の説明】
【００７０】
１１…空気除菌脱臭器
２１…紫外線ランプ
３１…収容室
３２…筐体
３３…遮光板
４１…前面連通路
４２…上面連通路
６３…支持台部材
【図１】
0003155046.tif 000003
【図２】
0003155046.tif 000004
【図３】
0003155046.tif 000005
【図４】
0003155046.tif 000006
【図５】
0003155046.tif 000007
【図６】
0003155046.tif 000008
【図７】
0003155046.tif 000009
【図８】
0003155046.tif 000010
【図９】
0003155046.tif 000011
【図１０】
0003155046.tif 000012
【図１１】
0003155046.tif 000013